(57)【特許請求の範囲】
【請求項１】
床部に設けられる開口部に取り付けられる外枠と、この外枠内に着脱可能に嵌合する内枠と、この内枠を周縁に装着してなる開閉用の蓋体とを具備する床点検口の取付構造であって、
上記外枠に、上記床部の開口縁部上面に載置される上フランジと、この上フランジと反対方向に延在する下フランジとを設けると共に、下フランジに貫通孔を穿設し、
上記下フランジに穿設された上記貫通孔を貫通する取付ねじに固定金具をねじ結合可能に形成し、
上記固定金具に、上記取付ねじをねじ結合するねじ孔を有する矩形板状の基部と、この基部の両側辺から垂下する互いに平行に対峙する一対の垂下部とからなる断面略逆Ｕ字状の取付部と、この取付部の上記垂下部にそれぞれ連設されて上記床部の下面に圧接される一対の垂直片にて形成される固定部とを設けると共に、上記固定部の垂直片の上面に床部に食い込み可能な１又は複数の突起を形成し、
上記垂下部の端部の角部には円弧状面が形成され、
上記床部の開口縁部上面に上記外枠の上フランジを載置した状態で、上記取付ねじを上記固定金具にねじ結合することによって、上記外枠の上フランジと固定金具の固定部とで床部を挟持すると共に、上記突起を床部下面に食い込ませて固定することを特徴とする床点検口の取付構造。
【請求項２】
請求項１記載の床点検口の取付構造において、
上記外枠の下フランジの先端部下面に係止片を設け、上記固定金具の取付部における固定部と反対側の端部に、上記取付ねじを締め付けた状態において上記係止片と係合可能な倒れ止め片を突設してなることを特徴とする床点検口の取付構造。
【請求項３】
請求項２記載の床点検口の取付構造において、
上記倒れ止め片を、その先端部が固定金具の取付部の内方側に向かって傾斜状に形成してなることを特徴とする床点検口の取付構造。
【請求項４】
請求項２又は３記載の床点検口の取付構造において、
上記倒れ止め片に、この倒れ止め片の先端部の任意を切り取り可能にする切り取り用の切欠を設けてなることを特徴とする床点検口の取付構造。
【発明の詳細な説明】
【０００１】
【発明の属する技術分野】
この発明は、床点検口の取付構造に関するもので、更に詳細には、床部に設けられた開口部に取り付けられる床点検口の取付構造に関するものである。
【０００２】
【従来の技術】
一般に、床点検口は、床部に設けられる開口部に取り付けられる外枠と、この外枠内に着脱可能に嵌合する内枠と、この内枠を周縁に装着してなる開閉用の蓋体とで主に構成されている。
【０００３】
従来、床部に床点検口を取り付けるには、例えば図１３に示すように、外枠１に設けられた上フランジ１ａを、床部Ｆに設けられた開口部２の縁部上面に載置し、外枠１に設けられた下フランジ１ｂを、開口部２の下部に配置された根太２ａに固定用木ねじ２ｃで固定された副根太２ｂ上に載置し、そして、下フランジ１ｂに穿設された貫通孔１ｃを貫通する取付用木ねじ１ｄを副根太２ｂにねじ止めして取り付けていた。
【０００４】
ところが近年では、従来のように根太２ａを配置し、その上に床材２ｄを敷き詰める工法は減少しているので、従来の取付構造を用いることができないという問題があった。
【０００５】
そこで、この問題を解決する手段として、例えば図１４に示すように、外枠１に設けられた上フランジ１ａを、床部Ｆに設けられた開口部２の周縁部上面に載置し、外枠１に設けられた水平の係止部１ｅを貫通する取付ねじ１ｆを、床部Ｆの下面に圧接される固定部３ａを有する断面略Ｚ字状の固定金具３にねじ結合することにより、外枠１の上フランジ１ａと固定金具３の固定部３ａとで床部Ｆを挟持して、外枠１を取り付けることができる（特開平１１−９３３９５号公報参照）。この際、外枠１の下面側と固定金具３の上面側とを当接することで、外枠１の固定状態が安定されている。
【０００６】
この取付構造によれば、床部Ｆの開口部２に根太２ａが配置されない場合でも、床部Ｆの開口部２に外枠１を取り付けることができる。
【０００７】
【発明が解決しようとする課題】
しかしながら、上記特開平１１−９３３９５号公報に記載の取付構造においては、外枠１と固定金具３とを取付ねじ１ｆによって締め付け、床点検口の開口部２の周縁部を挟持するだけの構造であるため、床部Ｆと外枠１との取付強度が十分でないという問題があった。
【０００８】
また、外枠１の固定状態を安定させるために、外枠１の下面側と固定金具３とを当接する必要がある。したがって、外枠１を取り付ける床部Ｆの厚さに応じて外枠１及び固定金具３の寸法を変更しなければならないので、それぞれの厚さに適合した外枠１及び固定金具３を製造しなくてはならなくなり、生産コストが嵩むという問題もあった。
【０００９】
この発明は、上記事情に鑑がみなされたもので、根太の位置や床部の厚さに関係なく、床部に設けられた開口部への外枠の取り付けを容易かつ強固にする床点検口の取付構造を提供することを目的とするものである。
【００１０】
【課題を解決するための手段】
上記目的を達成するために、請求項１記載の発明は、床部に設けられる開口部に取り付けられる外枠と、この外枠内に着脱可能に嵌合する内枠と、この内枠を周縁に装着してなる開閉用の蓋体とを具備する床点検口の取付構造であって、  上記外枠に、上記床部の開口縁部上面に載置される上フランジと、この上フランジと反対方向に延在する下フランジとを設けると共に、下フランジに貫通孔を穿設し、  上記下フランジに穿設された上記貫通孔を貫通する取付ねじに固定金具をねじ結合可能に形成し、  上記固定金具に、上記取付ねじをねじ結合するねじ孔を有する矩形板状の基部と、この基部の両側辺から垂下する互いに平行に対峙する一対の垂下部とからなる断面略逆Ｕ字状の取付部と、この取付部の上記垂下部にそれぞれ連設されて上記床部の下面に圧接される一対の垂直片にて形成される固定部とを設けると共に、上記固定部の垂直片の上面に床部に食い込み可能な１又は複数の突起を形成し、  上記垂下部の端部の角部には円弧状面が形成され、  上記床部の開口縁部上面に上記外枠の上フランジを載置した状態で、上記取付ねじを上記固定金具にねじ結合することによって、上記外枠の上フランジと固定金具の固定部とで床部を挟持すると共に、上記突起を床部下面に食い込ませて固定することを特徴とする。この場合、突起は尖先状である方がよく、例えば鋸歯状に形成することできる。
【００１１】
このように構成することにより、床部の開口縁部上面に外枠の上フランジを戴置した状態で取付ねじを固定金具にねじ結合し、外枠の上フランジと固定金具の固定部とで床部を挟持すると共に、この固定金具の固定部上面に形成された突起が床部下面に食い込むことにより、根太の位置に関係なく、床部に直接外枠を取り付けることができると共に、床部の開口部に外枠を強固にかつ確実に固定することができる。また、外枠と固定金具との間隔を取付ねじの回動により調整することができるので、床部の厚さに関係なく床部の開口縁部に外枠を取付固定することができる。また、取付部の垂下部の角部に円弧状面を形成することにより、固定金具を床部の下方に手探りで位置させる際に、手に傷が付くのを防止することができ、安全である。
【００１３】
また、請求項１記載の発明によれば、固定金具の固定部が、互いに平行に対峙する一対の垂直片の両上端に突起が突設されているので、取付ねじを固定金具に締め付けて、外枠の上フランジと固定金具の固定部とで床部を挟持する際に、突起が床部の下面に確実に食い込むことができ、床部に外枠を更に強固にかつ確実に固定することができる。
【００１４】
請求項２記載の発明は、請求項１記載の床点検口の取付構造において、上記外枠の下フランジの先端部下面に係止片を設け、上記固定金具の取付部における固定部と反対側の端部に、上記取付ねじを締め付けた状態において上記係止片と係合可能な倒れ止め片を突設してなることを特徴とする。この場合、上記倒れ止め片を、その先端部が固定金具の取付部の内方側に向かって傾斜状に形成する方が好ましい（請求項３）。また、上記倒れ止め片に、この倒れ止め片の先端部の任意を切り取り可能にする切り取り用の切欠きを設ける方が好ましい（請求項４）。
【００１５】
このように構成することにより、外枠と固定金具とで床部を挟持する際、取付ねじを締め付けることにより、外枠の下フランジの先端部下面に形成された係止片と、固定金具に突設された倒れ止め片が係合するので、取付ねじと固定金具との締め付けによる外枠の開口部内方への倒れを阻止することができると共に、固定部の床部下面への圧接及び突起の床部への食い込みを確実にすることができる。したがって、床部の開口部に外枠を更に強固にかつ確実に固定することができる。この場合、倒れ止め片を、固定金具の取付部の内方側に向かって傾斜状に形成することにより、外枠を床部の開口部に取り付ける際に、取付ねじを締め付けて固定金具を上昇させると、倒れ止め片の上端が外枠の下フランジの下面の係止片に当接するので、固定金具が回動することなく、固定部を床部下面に移動して圧接することができる。また、倒れ止め片が外枠の下フランジの下面に当接するので、その反力によって固定部が床部下面から離反することなく、固定部を床部下面に確実に圧接することができると共に、突起を床部下面に確実に食い込ませることができる（請求項３）。また、倒れ止め片に設けられた切欠の箇所にて倒れ止め片の先端側を切り取ることにより、床部の厚みが薄い場合においても倒れ止め片を外枠の下フランジに設けられた係止片に係合することができる（請求項４）。
【００１６】
【発明の実施の形態】
以下に、この発明の床点検口の取付構造について、添付図面に基づいて詳細に説明する。ここで、従来の床点検口と同じ部分は、同一符号を付して説明する。
【００１７】
◎  第一実施形態
図１は、この発明の床点検口の取付構造を示す概略平面図、図２は、床点検口の主要部を示す断面図である。
【００１８】
上記床点検口は、図１及び図２に示すように、床部Ｆに設けられた略方形状の開口部２内に取り付けられる外枠１０と、この外枠１０内に着脱可能に嵌合する内枠４０と、内枠４０を蓋板材５１の周縁に装着してなる蓋体５０とで主要部が構成されており、蓋体５０の蓋板材５１に開閉用の取手６０が取り付けられている。
【００１９】
上記外枠１０は、図１ないし図４に示すように、床部Ｆに略方形状に形成された開口部２内に取り付けられる枠組形状のものであって、アルミニウム合金製の押出形材にて形成される外枠材２０同士をコーナーピース（図示せず）にて連結されている。この外枠１０は、床部Ｆの開口部２の内周面に当接する垂直片１１と、この垂直片１１の上端から外方に向かって延在され、床部Ｆの開口縁部上面に載置される上フランジ１２と、垂直片１１の下端から内方に向かって延在され、蓋体５０の内枠４０を載置する下フランジ１３とで主に構成されている。
【００２０】
この場合、上フランジ１２の上面は、基端側から先端に向かって下り勾配の傾斜面１４が形成されている。このように、上フランジ１２の上面に傾斜面１４を形成することにより、外枠１０を床部Ｆに取り付けた状態で、床面と外枠１０とのギャップを少なくすることができる。また、下フランジ１３には、１個又は長手方向に適宜間隔をおいて２個あるいは３個の貫通孔１５が穿設されている。この貫通孔１５には、取付ねじ９０が貫通可能になっている。この取付ねじ９０には、床部Ｆの下面に圧接される後述する固定金具３０がねじ結合可能に形成され、この固定金具３０と上フランジ１２とで床部Ｆの開口部を挟持し得るようになっている。
【００２１】
また、垂直片１１の外側上部には、垂直片１１から外方へ延在し、その先端が下方に折曲される上部折曲片１６と、この上部折曲片１６に対峙するように、垂直片１１の下端から外方へ延在し、その先端が上方に折曲される下部折曲片１７が形成されている。このように形成される上部折曲片１６及び下部折曲片１７は、床部Ｆに外枠１０を取り付ける際に、床部Ｆの開口部２の内周面に当接されて、外枠１０の位置決めを行うことができる。なお、上部折曲片１６と下部折曲片１７により形成されるコーナーピース取付溝２１内に、外枠材２０同士を連結するコーナーピース（図示せず）を挿入できるようになっている。
【００２２】
また、上フランジ１２と垂直片１１と、上部折曲片１６とによって、外方に開口する第１の取付溝１８が形成されている。この第１の取付溝１８内には、床部Ｆと外枠１０との気密性を図るための第１のパッキン８Ａが取り付けられている。また、下フランジ１３の先端部には、上方に開口する断面略円弧状の第２の取付溝１９が形成されている。この第２の取付溝１９内には、外枠１０と内枠４０との気密性を図るための第２のパッキン８Ｂが取り付けられている。なお、これら第１の取付溝１８の底面及び第２の取付溝１９の内側面には、それぞれ取付溝１８，１９の長手方向に沿って突起１８ａ，１９ａが突設されている。この突起１８ａ，１９ａによって、第１及び第２のパッキン８Ａ，８Ｂが外方へ押圧されて常時第１及び第２の取付溝１８，１９から突出した状態になっている。なお、この場合、第２の取付溝１９の内側面には２つの突起１９ａが突設されている。また、上記第１及び第２のパッキン８Ａ，８Ｂは、例えば合成ゴム等の伸縮自在な弾性材によって断面円形の紐状をなしており、その両端が連結金具（図示せず）や接着等によっていわゆるエンドレスとなる環状すなわち無端状に形成されている。
【００２３】
上記固定金具３０は、図５に示すように、上記取付ねじ９０とねじ結合可能なねじ孔３１ａを中央部に有する矩形板状の基部３１と、この基部３１の両側辺から垂下する互いに平行に対峙する一対の垂下部３２とからなる断面略逆Ｕ字状の取付部３３と、この取付部３３の垂下部３２からそれぞれ側方に連設される一対の垂直片３４にて形成される固定部３５とで構成されている。この場合、上記ねじ孔３１ａは、バーリング加工によってバーリング孔が穿設され、そのバーリング孔にねじ溝が形成されている。また、固定部３５の両垂直片３４の上端３６には床部Ｆの下面に、食い込み可能な例えば鋸歯状の突起３７が突設されている。なお、突起３７は尖先状に形成されるものであれば１つであってもよい。また、取付部３３の垂下部３２の端部の角部には円弧状面３８が形成されている。このように、取付部３３の垂下部３２の角部に円弧状面３８を形成することにより、固定金具３０を床部Ｆの下方に手探りで位置させる際に、手に傷が付くのを防止することができる。施工後の使用においても、同様の効果が得られるので、安全である。
【００２４】
上記内枠４０は、アルミニウム合金製押出形材にて形成される四つの内枠材４１を図示しないコーナー結合部材を介して四角の枠状に結合されている。この場合、内枠材４１は、図２に示すように、断面略コ字状に形成されており、起立壁４２の内周側の上、下端から内方に向かって延在する下フランジ４３と上フランジ４５とにより、蓋板材５１を嵌挿するための取付溝４７を有している。取付溝４７内に挿入された蓋板材５１は、下フランジ４３の下方から挿入される木ねじ９１を締め付けることによって固定される。
【００２５】
また、内枠材４１は、上フランジ４５及び下フランジ４３の内壁にわずかながら垂下する突起４６が形成されると共に、下フランジ４３の基部に段差部４４が形成され、上フランジ４５及び下フランジ４３の突起４６と、起立壁４２との間に、内枠材４１同士を連結するコーナーピース（図示せず）を挿入できるようになっている。なお、内枠材４１は、上フランジ４５の外縁には外方に若干突出する膨出部４８が設けられており、この膨出部４８によって、平面視における外枠１０と内枠４０との隙間を狭くしている。
【００２６】
上記のように構成される内枠４０を蓋板材５１の周縁に装着してなる蓋体５０には、図１及び図２に示すように、蓋体５０を開閉するための取手６０が装着されている。上記取手６０の構造は、図２に示すように、蓋板材５１の所定位置に設けられた丸孔５２に上から挿入されたとき、ナット６１で締め付けられることによって蓋体５０に取手６０が装着される。そして、取手６０のプッシュ部（図示せず）が押下されると、その反対側の部分から取手６０が上方に起き上がることにより、取手６０を掴んで開閉操作を行えるようになっている。
【００２７】
また、蓋板材５１の底部５３には、図２に示すように、外方に延びる一対の翼片７１を有する断面ハット状の補強材７０が木ねじ９２によって取り付けられている。この補強材７０は、例えばスチール製部材にて形成されている。
【００２８】
次に、床点検口の取付手順について、図６を参照して説明する。まず、予め第１及び第２の取付溝１８，１９に第１及び第２のパッキン８Ａ，８Ｂが取り付けられた外枠１０の下フランジ１３に穿設された貫通孔１５に取付ねじ９０を貫挿し、この取付ねじ９０を、固定金具３０の取付部３３にねじ結合しておく。
【００２９】
次に、図６（ａ）に示すように、固定金具３０を床部Ｆと干渉しないように固定部３５側を開口部内方側又は外枠１０の長手方向と平行に位置させた状態で、外枠１０及び固定金具３０を、床部Ｆの開口部２内に挿入する（図６（ａ）▲１▼参照）。特に、固定金具３０の固定部３５側を開口部内方側に位置させた状態では、取付部３３の垂下部３２の角部に円弧状面３８が形成されているため、外枠１０及び固定金具３０を床部Ｆの開口部２内に挿入する際のガイドとなり、円滑に作業を行うことができる。
【００３０】
次に、図６（ｂ）に示すように、外枠１０の上フランジ１２を、床部Ｆの開口縁部上面に載置すると共に、第１のパッキン８Ａを床部Ｆの開口部２の内周面に密接する（図６（ｂ）▲２▼参照）。この状態で、固定金具３０の固定部３５を水平方向に回転して、固定部３５を床部の下方へ移動する（図６（ｂ）▲３▼参照）。
【００３１】
そして、図６（ｃ）に示すように、固定金具３０が回転しないように軽く手を添えて取付ねじ９０を締め付けると、固定金具３０が上昇して、固定部３５が床部Ｆの下面に圧接されると共に、突起３７が床部Ｆの下面に食い込む（図６（ｃ）▲４▼参照）。この状態で、上フランジ１２と固定部３５とが共働して床部Ｆの開口縁部が挟持されるので、外枠１０は、床部Ｆの開口部２内に確実にかつ強固に取り付けられる。
【００３２】
◎第二実施形態
図７は、この発明に係る床点検口の取付構造の第二実施形態の主要部を示す断面図である。
【００３３】
第二実施形態は、外枠の取付（固定）を更に確実に行えるようにした場合である。すなわち、外枠１０Ａの下フランジ１３に設けられた係止片１３ａと固定金具３０Ａに設けられた倒れ止め片３９とを係合させて、外枠１０Ａの取付状態における固定金具３０Ａの倒れを阻止して、外枠１０Ａの取付（固定）を確実に行えるようにした場合である。
【００３４】
この場合、外枠１０Ａは、アルミニウム合金製の押出形材にて形成される外枠材２０Ａ同士をコーナーピース（図示せず）にて連結されており、図７ないし図９に示すように、垂直片１１の上端に、外方に向かって延在する上フランジ１２を具備すると共に、垂直片１１の下端に、内方に向かって延在する下フランジ１３を具備し、下フランジ１３の先端部下面に係止片１３ａを垂下してなる。また、下フランジ１３の基端側には、上方に向かって開口する断面略円弧状のパッキン取付溝１９Ａが設けられており、このパッキン取付溝１９Ａ内に第２のパッキン８Ｂが取付られている。なお、外枠１０Ａにおけるその他の部分は、上記第一実施形態と同じであるので、同一部分には同一符号を付して説明は省略する。
【００３５】
一方、固定金具３０Ａは、図１０に示すように、上記取付ねじ９０とねじ結合可能なねじ孔３１ａを中央部に有する矩形板状の基部３１と、この基部３１の両側辺から垂下する互いに平行に対峙する一対の垂下部３２とからなる断面略逆Ｕ字状の取付部３３と、この取付部３３の垂下部３２からそれぞれ側方に延在する一対の垂直片３４にて形成される固定部３５とを具備し、取付部３３の基部３１における固定部３５と反対側の辺部から起立し上記係止片１３ａと係合可能な倒れ止め片３９を突設してなる。
【００３６】
この場合、倒れ止め片３９は、先端に向かって基部３１側に若干傾斜して設けられている。このように、倒れ止め片３９を基部３１の片部から基部３１の内方側に若干傾斜させることにより、外枠１０Ａの取付の際に、取付ねじ９０を締め付けて固定金具３０Ａを上昇させると、倒れ止め片３９の上端が外枠１０Ａの下フランジ１３の下面の係止片１３ａに当接するので、固定金具３０Ａが回動することがない。また、倒れ止め片３９の先端部が係止片１３ａの外方に位置することがなく、確実に係止片１３ａと係合することができる。この際、取付ねじ９０を締め付けることにより、倒れ止め片３９の先端部が下フランジ１３の下面に当接して突っ張った状態になるので、取付ねじ９０と固定金具３０Ａのねじ結合部が支点として、倒れ止め片３９の先端部と下フランジ１３の下面との当接力の反力が固定部３５に加わって、固定部３５及び突起１３を床部Ｆの下面に圧接すると共に、突起１３を床部Ｆの下面に食い込ますことができる。
【００３７】
また、倒れ止め片３９は、中間の所定位置の両側に切欠き３９ａが設けられている。この切欠き３９ａの箇所から倒れ止め片３９の先端を切り取ることにより、床部Ｆの厚さが薄い場合においても倒れ止め片３９を係止片１３ａに係合することができる（図１２参照）。なお、図１０では、切欠き３９ａが倒れ止め片３９の左右一箇所に設ける場合について説明したが、倒れ止め片３９の一側に切欠き３９ａを設けてもよい。また、床部Ｆの異なる厚さに対応させて複数箇所に切欠き３９ａを設けてもよい。
【００３８】
なお、第二実施形態において、その他の部分は、上記第一実施形態と同じであるので、同一部分には同一符号を付して説明は省略する。なお、第二実施形態では、外枠１０Ａの下フランジ１３の基部側に第２の取付溝１９Ａを設けた場合について説明したが、第一実施形態に用いた外枠１０に代えてもよい。また、第一実施形態においても第二実施形態で用いた外枠１０Ａを用いてもよい。
【００３９】
次に、第二実施形態の床点検口の取付手順について、図１１を参照して説明する。まず、第一実施形態と同様に、予め第１及び第２の取付溝１８，１９Ａに第１及び第２のパッキン８Ａ，８Ｂが取り付けられた外枠１０Ａの下フランジ１３に穿設された貫通孔１５に取付ねじ９０を貫挿し、この取付ねじ９０を、固定金具３０Ａの取付部３３にねじ結合しておく。
【００４０】
次に、図１１（ａ）に示すように、固定金具３０Ａを床部Ｆと干渉しないように固定部３５側を開口部２の内方側又は外枠１０Ａの長手方向と平行に位置させた状態で、外枠１０Ａ及び固定金具３０Ａを、床部Ｆの開口部２内に挿入する（図１１（ａ）▲１▼参照）。特に、固定金具３０Ａの固定部３５側を開口部内方側に位置させた状態では、取付部３３の垂下部３２の角部に円弧状面３８が形成されているため、外枠１０Ａ及び固定金具３０Ａを床部Ｆの開口部２内に挿入する際のガイドとなり、円滑に作業を行うことができる。
【００４１】
次に、図１１（ｂ）に示すように、外枠１０Ａの上フランジ１２を、床部Ｆの開口２の縁部上面に載置すると共に、第１のパッキン８Ａを床部Ｆの開口部２の内周面に密接する（図１１（ｂ）▲２▼参照）。この状態で、固定金具３０Ａの固定部３５を水平方向に回転して、固定部３５を床部の下方へ移動する（図１１（ｂ）▲３▼参照）。
【００４２】
そして、図１１（ｃ）に示すように、取付ねじ９０を締め付けると、倒れ止め片３９の先端が取付ねじ９０に接触しながら固定金具３０Ａが上昇して、固定部３５が床部Ｆの下面に圧接されると共に、突起３７が床部Ｆの下面に食い込み、更に、倒れ止め片３９の先端部が係止片１３ａに係合する（図１１（ｃ）▲４▼参照）。
【００４３】
したがって、第二実施形態の床点検口の取付構造によれば、取付ねじ９０を締め付ける際に、倒れ止め片３９が取付ねじ９０に接触しながら固定金具３０Ａが上昇するので、固定金具３０Ａが回動することなく、固定部３５を床部Ｆの下面に移動して圧接することができる。また、倒れ止め片３９が係止片１３ａに係合することにより、固定部３５が床部Ｆの下面から離反することがなく、固定部３５を床部Ｆの下面に確実に圧接することができると共に、突起３７の床部Ｆ下面への食い込みを確実にすることができる。
【００４４】
【発明の効果】
以上に説明したように、この発明は上記のように構成されているので、以下のような優れた効果が得られる。
【００４５】
（１）請求項１記載の発明によれば、床部の開口縁部上面に外枠の上フランジを載置状態で取付ねじを固定金具にねじ結合し、外枠の上フランジと固定金具の固定部とで床部を挟持すると共に、この固定金具の固定部上面に形成された突起が床部下面に食い込むので、根太の位置に関係なく、床部に直接外枠を取り付けることができると共に、床部の開口部に外枠を強固にかつ確実に固定することができる。また、外枠と固定金具との間隔を取付ねじの回動により調整することができるので、床部の厚さに関係なく床部の開口縁部に外枠を取付固定することができる。また、取付部の垂下部の角部に円弧状面を形成することにより、固定金具を床部の下方に手探りで位置させる際に、手に傷が付くのを防止することができ、安全である。
【００４６】
（２）また、請求項１記載の発明によれば、固定金具の固定部が、互いに平行に対峙する一対の垂直片の両上端に、突起が突設されているので、取付ねじを固定金具に締め付けて、外枠の上フランジと固定金具の固定部とで床部を挟持する際に、突起が床部の下面に確実に食い込むので、上記（１）に加えて更に強固にかつ確実に固定することができる。
【００４７】
（３）請求項２記載の発明によれば、外枠と固定金具とで床部を挟持する際、取付ねじを締め付けることにより、外枠の下フランジの先端部下面に形成された係止片と、固定金具に突設された倒れ止め片が係合するので、上記（１）又は（２）に加えて取付ねじと固定金具との締め付けによる外枠の開口部内方への倒れを阻止することができると共に、固定部の床部下面への圧接及び突起の床部への食い込みを更に確実にすることができ、かつ、床部の開口部に外枠を更に強固にかつ確実に固定することができる。
【００４８】
（４）請求項３記載の発明によれば、倒れ止め片の先端部を固定金具の取付部の内方側に向かって傾斜状に形成することにより、取付ねじを締め付けて固定金具を上昇させると、倒れ止め片の上端が外枠の下フランジの下面の係止片に当接するので、固定金具が回動することなく固定部を床部下面に移動して圧接することができると共に、固定部が床部下面から離反することなく、固定部を床部下面に移動して圧接することができるので、上記（３）に加えて、外枠の取り付けを更に容易にすることができる。
【００４９】
（５）請求項４記載の発明によれば、倒れ止め片に設けられた切欠きの箇所にて、倒れ止め片の先端側を切り取ることにより、床部の厚みが薄い場合においても、倒れ止め片を外枠の下フランジに設けられた係止片に係合することができる。また、床部の厚みに対応した固定金具を製造する必要がなく、生産コストの削減を図ることができる。
【図面の簡単な説明】
【図１】この発明の床点検口の取付構造を示す概略平面図である。
【図２】この発明の第一実施形態における床点検口の主要部を示す断面図である。
【図３】上記床点検口の外枠の取付構造を示す断面図である。
【図４】上記外枠と取付ねじを示す分解斜視図である。
【図５】この発明の第一実施形態における固定金具の一部を断面で示す斜視図である。
【図６】この発明の第一実施形態における外枠の取付前の状態を示す断面図（ａ）、取付作業状態を示す断面図（ｂ）、取付完了状態を示す断面図（ｃ）である。
【図７】この発明の第二実施形態における床点検口の主要部を示す断面図である。
【図８】上記床点検口の外枠の取付構造を示す断面図である。
【図９】上記床点検口の外枠と取付ねじを示す分解斜視図である。
【図１０】この発明の第二実施形態における固定金具を示す斜視図である。
【図１１】この発明の第二実施形態における外枠の取付前の状態を示す断面図（ａ）、取付作業状態を示す断面図（ｂ）、取付完了状態を示す断面図（ｃ）である。
【図１２】この発明の第二実施形態において床部の厚みが薄い場合の外枠の取付構造を示す断面図である。
【図１３】従来の床点検口の取付構造の外枠を示す断面図である。
【図１４】従来の別の床点検口の取付構造の外枠を示す断面図である。
【符号の説明】
Ｆ  床部
２  開口部
１０，１０Ａ  外枠
１２  上フランジ
１３  下フランジ
１３ａ  係止片
１５  貫通孔
３０，３０Ａ  固定金具
３１ａ  ねじ孔
３３  取付部
３４  垂直片
３５  固定部
３６  上端
３７  突起
３９  倒れ止め片
３９ａ  切欠き
４０  内枠
５０  蓋体
９０  取付ねじ
【図１】
0004651071.tif 000002
【図２】
0004651071.tif 000003
【図３】
0004651071.tif 000004
【図４】
0004651071.tif 000005
【図５】
0004651071.tif 000006
【図６】
0004651071.tif 000007
【図７】
0004651071.tif 000008
【図８】
0004651071.tif 000009
【図９】
0004651071.tif 000010
【図１０】
0004651071.tif 000011
【図１１】
0004651071.tif 000012
【図１２】
0004651071.tif 000013
【図１３】
0004651071.tif 000014
【図１４】
0004651071.tif 000015